【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】人体局部に対して洗浄水を吐水する洗浄ノズルと、前記洗浄ノズルを収納位置と洗浄位置とに移動させる駆動手段と、前記駆動手段により移動する洗浄ノズルの駆動方向を案内する案内手段とを有する人体局部洗浄装置において、前記洗浄ノズルは、前記案内手段上に支持されるとともに、前記案内手段の移動方向における前方向であり、かつ、案内手段と離れた位置に設けられた先端支持部と前記洗浄ノズルの便器のボール部側とを摺動自在としたことを特徴とする人体局部洗浄装置。
【請求項２】請求項１に記載の人体局部洗浄装置において、
前記先端支持部は、前記洗浄ノズルの前記収納位置における最先端に設けられたことを特徴とする人体局部洗浄装置。
【請求項３】請求項１または２に記載の人体局部洗浄装置において、
前記洗浄ノズルは、人体局部に対して洗浄水を吐水する吐水流路を内蔵するノズル本体と、前記吐水流路へ給水する洗浄水を流路調整する洗浄水調整手段とを一体に構成したことを特徴とする人体局部洗浄装置。
【請求項４】請求項３に記載の人体局部洗浄装置において、前記先端支持部を前記洗浄水調整手段の進退可動範囲外としたことを特徴とする人体局部洗浄装置。
【請求項５】請求項４に記載の人体局部洗浄装置において、
前記洗浄水調整手段は、前記吐水流路内に、ロータとステータとが重なり合うように構成され、前記ロータは、前記吐水流路に通じる孔が形成され、前記ステータは、前記吐水流とに通じるとともに、前記孔に通じる階段状の溝を形成し、前記溝を、前記ノズル本体に沿って形成し、かつ、水流の方向と垂直方向に設けたことを特徴とする人体局部洗浄装置。
【請求項６】人体局部に対して洗浄水を吐水する吐水孔を有し、収納位置から洗浄位置まで移動するノズルと、
前記移動の経路上であって、前記ノズルが収納位置にあるときの吐水孔よりも前記ノズルの先端側に前記ノズルの外周と当接する程度に接近して設けられた支持部と、を備えたことを特徴とする人体局部洗浄装置。
【請求項７】請求項６に記載の人体局部洗浄装置において、
前記支持部は、前記ノズルが収納位置にあるときの前記ノズルの最先端に設けられたことを特徴とする人体局部洗浄装置。
【請求項８】請求項６または７に記載の人体局部洗浄装置において、
前記支持部は、前記ノズルの外周の少なくとも一部にならう形状を有することを特徴とする人体局部洗浄装置。
【請求項９】請求項６〜８のうちいずれか１項に記載の人体局部洗浄装置において、
前記支持部は、前記ノズルが収納位置にあるときに前記吐水孔を包囲する洗浄室を備えたことを特徴とする人体局部洗浄装置。
【請求項１０】請求項６〜９のうちいずれか１項に記載の人体局部洗浄装置において、
案内レール部と、
前記案内レール部に対して所定の保持関係を保ちつつ、前記ノズルを収納位置から洗浄位置まで案内する案内ガイド部とを備えたことを特徴とする人体局部洗浄装置。
【請求項１１】請求項６〜１０のうちいずれか１項に記載の人体局部洗浄装置において、
前記ノズルは、洗浄水調整手段を内蔵したことを特徴とする人体局部洗浄装置。
【請求項１２】請求項１１に記載の人体局部洗浄装置において、
前記洗浄室は、前記洗浄水調整手段が内蔵された部位の少なくとも一部を収容可能であることを特徴とする人体局部洗浄装置。
【請求項１３】請求項１１または１２に記載の人体局部洗浄装置において、
前記洗浄水調整手段は、吐水される洗浄水の水量を調整することを特徴とする人体局部洗浄装置。
【請求項１４】請求項１１〜１３のうちいずれか１項に記載の人体局部洗浄装置において、
前記洗浄水調整手段は、前記吐水流路内に、ロータとステータとが重なり合うように構成され、前記ロータは、前記吐水流路に通じる孔が形成され、前記ステータは、前記吐水流とに通じるとともに、前記孔に通じる階段状の溝を形成し、前記溝を、前記ノズル本体に沿って形成し、かつ、水流の方向と垂直方向に設けたことを特徴とする人体局部洗浄装置。
【請求項１５】人体局部に対して洗浄水を吐水する吐水孔を有し、収納位置から洗浄位置まで移動するノズルと、
前記移動の経路上であって、前記ノズルが収納位置にあるときの吐水孔よりも前記ノズルの先端側に、前記ノズルの便器のボール部側を摺動自在とする支持部と、を備えたことを特徴とする人体局部洗浄装置。
【手続補正２】
【補正対象書類名】明細書
【補正対象項目名】０００５
【補正方法】変更
【補正の内容】
【０００５】
【課題を解決するための手段、作用および効果】上記目的を達成するために請求項１の人体局部洗浄装置は、人体局部に対して洗浄水を吐水する洗浄ノズルと、前記洗浄ノズルを収納位置と洗浄位置とに移動させる駆動手段と、前記駆動手段により移動する洗浄ノズルの駆動方向を案内する案内手段とを有する人体局部洗浄装置において、前記洗浄ノズルは、前記案内手段上に支持されるとともに、前記案内手段の移動方向における前方向であり、かつ、案内手段と離れた位置に設けられた先端支持部と前記洗浄ノズルの便器のボール部側とを摺動自在としたことを特徴とする人体局部洗浄装置である。請求項１に記載の人体局部洗浄装置によれば、ノズル本体が最進出時にも、先端支持部と案内レール部の案内ガイドの距離が取れるようになる。したがって、ノズル本体が最進出した位置でも案内レールと先端支持部との２点間に距離を持たせることができる。
【手続補正３】
【補正対象書類名】明細書
【補正対象項目名】０００７
【補正方法】変更
【補正の内容】
【０００７】
請求項３は、請求項１または２に記載の人体局部洗浄装置において、前記洗浄ノズルは、人体局部に対して洗浄水を吐水する吐水流路を内蔵するノズル本体と、前記吐水流路へ給水する洗浄水を流路調整する洗浄水調整手段とを一体に構成したことを特徴とする人体局部洗浄装置である。請求項３に記載の人体局部洗浄装置によれば、前記洗浄水調整手段は，前記吐水流路へ給水する洗浄水の水量を調整することが出来るため、新たに別の場所に吐水流路へ給水する洗浄水の水量を調整する装置が不用になり、低コスト、省スペース化が可能である。
【手続補正４】
【補正対象書類名】明細書
【補正対象項目名】０００８
【補正方法】変更
【補正の内容】
【０００８】
請求項４は、請求項３に記載の人体局部洗浄装置において、前記先端支持部を前記洗浄水調整手段の進退可動範囲外としたことを特徴とする人体局部洗浄装置である。請求項４に記載の人体局部洗浄装置によれば、ノズル本体の進退により制限されていた洗浄水調整弁部の外径寸法が必要水路面積から自由に選択可能となり設計の自由度が向上させることができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項５は、請求項４に記載の人体局部洗浄装置において、前記洗浄水調整手段は、前記吐水流路内に、ロータとステータとが重なり合うように構成され、前記ロータは、前記吐水流路に通じる孔が形成され、前記ステータは、前記吐水流とに通じるとともに、前記孔に通じる階段状の溝を形成し、前記溝を、前記ノズル本体に沿って形成し、かつ、水流の方向と垂直方向に設けたことを特徴とする人体局部洗浄装置である。請求項５に記載の人体局部洗浄装置によれば、組立や部品の誤差によるロータ回転角度のバラツキから起きる水路断面積変化による吐水量のバラツキを少なくできる。
【手続補正７】
【補正対象書類名】明細書
【補正対象項目名】００１１
【補正方法】変更
【補正の内容】
【００１１】
請求項６は、人体局部に対して洗浄水を吐水する吐水孔を有し、収納位置から洗浄位置まで移動するノズルと、前記移動の経路上であって、前記ノズルが収納位置にあるときの吐水孔よりも前記ノズルの先端側に前記ノズルの外周と当接する程度に接近して設けられた支持部と、を備えたことを特徴とする人体局部洗浄装置である。請求項６に記載の人体局部洗浄装置によれば、吐水孔より吐水される洗浄水により、人体局部を洗浄することができる。また、吐水孔を有するノズルは、収納位置に待機させていれば、排泄時に排泄物によって汚れることがないし、洗浄時に収納位置から一定の経路を通過して洗浄位置に移動させることによって人体局部を洗浄することができる。さらに、支持部とノズルによって便器面に対してほとんど隙間を形成しないため、小水や汚物等が内部に浸入することも防止することができる。しかも、ノズルが収納位置にあるときの吐水孔よりも先端側にノズルの外周と当接する程度に近接して設けた支持部によって、収納位置から洗浄位置まで移動して伸びきったノズルの振れ量を小さくすることができる。すなわち、ノズルが伸びた状態において根元に近いところを支持するよりも、根元から離れたところを支持した方が振れ量を小さく抑えることができるのである。
【手続補正８】
【補正対象書類名】明細書
【補正対象項目名】００１２
【補正方法】変更
【補正の内容】
【００１２】
請求項７は、請求項６に記載の人体局部洗浄装置において、前記支持部は、前記ノズルが収納位置にあるときの前記ノズルの最先端に設けられたことを特徴とする人体局部洗浄装置である。請求項７に記載の人体局部洗浄装置によれば、支持部がノズルが収納位置にあるときのノズルの最先端に設けられているので、収納位置から洗浄位置まで移動して伸びきったノズルのがたつきを確実に防止することができる。また、この支持部とノズルによって便器面に対してほとんど隙間を形成しないため、外部から小水や汚物等が内部に浸入することを確実に防止することができる。
【手続補正９】
【補正対象書類名】明細書
【補正対象項目名】００１３
【補正方法】変更
【補正の内容】
【００１３】
請求項８は、請求項６または７に記載の人体局部洗浄装置において、前記支持部は、前記ノズルの外周の少なくとも一部にならう形状を有することを特徴とする人体局部洗浄装置である。請求項８に記載の人体局部洗浄装置によれば、支持部がノズルの外周の少なくとも一部と同一の形状であるため、ノズルは収納位置から支持部に沿って洗浄位置まで滑らかに移動することができ、摺動抵抗となることもないし、ノズルの外周面を傷つけたりすることもない。
【手続補正１０】
【補正対象書類名】明細書
【補正対象項目名】００１４
【補正方法】変更
【補正の内容】
【００１４】
請求項９は、請求項６〜８のうちいずれか１項に記載の人体局部洗浄装置において、前記支持部は、前記ノズルが収納位置にあるときに前記吐水孔を包囲する洗浄室を備えたことを特徴とする人体局部洗浄装置である。請求項９に記載の人体局部洗浄装置によれば、支持部が吐水孔を包囲する洗浄室を備えているため、たとえば、収納位置にあるノズルの吐水孔から洗浄水を吐水させることにより、洗浄室内で反射した洗浄水でノズルの吐水孔およびその周辺を洗浄することができたり、洗浄室に別水路から洗浄水を導くことで、ノズルを洗浄することができる。
【手続補正１１】
【補正対象書類名】明細書
【補正対象項目名】００１５
【補正方法】変更
【補正の内容】
【００１５】
請求項１０は、請求項６〜９のうちいずれか１項に記載の人体局部洗浄装置において、案内レール部と、前記案内レール部に対して所定の保持関係を保ちつつ、前記ノズルを収納位置から洗浄位置まで案内する案内ガイド部とを備えたことを特徴とする人体局部洗浄装置である。請求項１０に記載の人体局部洗浄装置によれば、案内ガイド部が案内レール部に対して所定の保持関係を保ちつつ、ノズルを収納位置から洗浄位置まで案内するので、ノズルは一定の経路から脱線することなく確実に収納位置から洗浄位置まで移動することができる。
【手続補正１２】
【補正対象書類名】明細書
【補正対象項目名】００１６
【補正方法】変更
【補正の内容】
【００１６】
請求項１１は、請求項６〜１０のうちいずれか１項に記載の人体局部洗浄装置において、前記ノズルは、洗浄水調整手段を内蔵したことを特徴とする人体局部洗浄装置である。請求項１１に記載の人体局部洗浄装置によれば、洗浄水調整手段により、たとえば、洗浄水の吐水孔や吐水量を好みに応じて変更することができる。また、洗浄水調整手段をノズルに内蔵したことにより、人体局部洗浄装置の小型化、部品点数の削減を達成できる。
【手続補正１３】
【補正対象書類名】明細書
【補正対象項目名】００１７
【補正方法】変更
【補正の内容】
【００１７】
請求項１２は、請求項１１に記載の人体局部洗浄装置において、前記洗浄室は、前記洗浄水調整手段が内蔵された部位の少なくとも一部を収容可能であることを特徴とする人体局部洗浄装置である。請求項１２に記載の人体局部洗浄装置によれば、洗浄室が洗浄水調整手段が内蔵された部位の少なくとも一部を収容可能であるため、ノズルの移動の制約となることがなく、ノズルの伸出距離を稼ぐことができる。つまり、ノズルが短く（小さく）てすむ。
【手続補正１４】
【補正対象書類名】明細書
【補正対象項目名】００１８
【補正方法】変更
【補正の内容】
【００１８】
請求項１３は、請求項１１または１２に記載の人体局部洗浄装置において、
前記洗浄水調整手段は、吐水される洗浄水の水量を調整することを特徴とする人体局部洗浄装置である。請求項１３に記載の人体局部洗浄装置によれば、洗浄水調整手段におり、好みに応じて洗浄水の水量を調整することができる。
【手続補正１５】
【補正対象書類名】明細書
【補正対象項目名】００１９
【補正方法】変更
【補正の内容】
【００１９】
請求項１４は、請求項１１〜１３のうちいずれか１項に記載の人体局部洗浄装置において、前記洗浄水調整手段は、前記吐水流路内に、ロータとステータとが重なり合うように構成され、前記ロータは、前記吐水流路に通じる孔が形成され、前記ステータは、前記吐水流とに通じるとともに、前記孔に通じる階段状の溝を形成し、前記溝を、前記ノズル本体に沿って形成し、かつ、水流の方向と垂直方向に設けたことを特徴とする人体局部洗浄装置である。請求項１４に記載の人体局部洗浄装置によれば、組立や部品の誤差によるロータ回転角度のバラツキにから起きる水路断面積変化による吐水量のバラツキを少なくできる。また、ノズルの径方向の大きさを極力小さくすることができる。
請求項１５は、人体局部に対して洗浄水を吐水する吐水孔を有し、収納位置から洗浄位置まで移動するノズルと、
前記移動の経路上であって、前記ノズルが収納位置にあるときの吐水孔よりも前記ノズルの先端側に、前記ノズルの便器のボール部側を摺動自在とする支持部と、を備えたことを特徴とする人体局部洗浄装置である。請求項１５に記載の人体局部洗浄装置によれば、ノズル本体の最進出位置においても、案内ガイドと先端支持部に距離がとれノズル本体の振れを少なくすることができる。
【手続補正１６】
【補正対象書類名】明細書
【補正対象項目名】００２０
【補正方法】変更
【補正の内容】
【００２０】
【発明の実施の形態】以下、本発明の実施の形態を添付図面に基づいて説明する。図１は、本発明の実施の形態に係る人体局部洗浄ノズルの概略斜視図である。図１に示すように、人体局部洗浄ノズルは、洗浄水を噴射するノズルヘッド４３を有するノズル本体４４と、洗浄水調整弁（図５参照）の一部を構成する流調モータ６２と、ノズル伸縮駆動モータ４６（図２参照）と、このノズル伸縮駆動モータ４６の正逆回転を前後に変換してノズル本体４４に伝達する伝達機構９０，１００、１１０、１３０と、ノズル本体４４を図示しない便器のボール部側で摺動自在に保持する先端支持部８０（図２参照）と、ノズル本体４４をノズル進退軌道４５（図３参照）に沿って案内する案内手段部として、案内レール部７０と、ノズル本体４４が案内レール部７０上を進退駆動するよう保持する案内ガイド部５１（図２参照）と、洗浄水を給水する給水チューブ（給水流路）１４０等を有する。伝達機構は、ノズル伸縮駆動モータ４６（図２参照）の回転軸に固定された駆動プーリ１１０と、ノズル進退軌道４５に沿った前後の従動プーリ１３０、１３０と、これらプーリ１１０，１３０、１３０に掛け渡されたタイミングベルト９０と、このタイミングベルト９０にテンションを与えるテンショナ１００とを有する。タイミングベルト９０は、ノズル本体４４のベルト把持体５０を介して、当該ノズル本体４４と係合・固定されている。